(57)【要約】【課題】収納庫のスペースを広めに確保でき、カセット回収時の利便性を保ちつつ場所を選ばずに設置可能な紙葉類処理装置を提供することである。【解決手段】提案する紙葉類処理装置は、紙葉類が１つの開口部を通して収納または繰り出され、上面に前記１つの開口部がそれぞれ設けられ、着脱自在であり、同じあるいは略同じ高さ、幅、奥行きで奥行き方向に配列された複数の収納庫と、前記複数の収納庫を装置前面または後面方向に一体として引き出すべく、該複数の収納庫が載置された案内レールと、装置前面または後面のいずれか一方に開閉扉が設けられた装置を覆う筺体と、前記複数の収納庫のうちの前記開閉扉側の収納庫を補充／回収用の収納庫として機能させる制御を行なう制御部と、を有する。【選択図】図１
2010231484.tif 000002
【特許請求の範囲】
【請求項１】
紙葉類の真贋を鑑別する鑑別部と、
紙葉類が１つの開口部を通して収納または繰り出され、上面に前記１つの開口部がそれぞれ設けられ、着脱自在であり、同じあるいは略同じ高さ、幅、奥行きで奥行き方向に配列された複数の収納庫と、
前記複数の収納庫を装置前面または後面方向に一体として引き出すべく、該複数の収納庫が載置された案内レールと、
装置前面または後面のいずれか一方に開閉扉が設けられた装置を覆う筺体と、
前記複数の収納庫のうちの前記開閉扉側の収納庫を補充／回収用の収納庫として機能させる制御を行なう制御部と、を有することを特徴とする紙葉類処理装置。
【請求項２】
前記制御部は、装置内部のメモリに記憶された、前記開閉扉が筺体前面と後面のいずれに設けられているかを示す情報に基づいて、前記開閉扉側の収納庫を特定し前記制御を行なうことを特徴とする請求項１記載の紙葉類処理装置。
【請求項３】
前記補充／回収用の収納庫として機能させた収納庫は、内部にリジェクト部を有し、
前記開閉扉が筺体前面に設けられている場合に、入金時に、前記鑑別部により正常券でリサイクルに不適と鑑別された紙幣、あるいは、出金時に、前記鑑別部により不明券と鑑別された紙幣を、前記制御部は、前記補充／回収用の収納庫として機能させた収納庫内のリジェクト部に収納することを特徴とする請求項１記載の紙葉類処理装置。
【請求項４】
各収納庫が収納している紙幣枚数の出入り情報を定期的に外部の上位装置に通知する枚数出入り情報通知部と、
所定のタイミングで、各収納庫が収納している紙幣枚数情報を前記外部の上位装置に通知する枚数情報通知部と、
前記外部の上位装置により前記紙幣枚数情報が不正確であると通知された収納庫について、該収納庫を抜き取りできないようにロックする収納庫ロック部と、をさらに有することを特徴とする請求項１記載の紙葉類処理装置。
【発明の詳細な説明】
【技術分野】
【０００１】
本発明は、カセット回収時の利便性を保ちつつ場所を選ばずに設置可能な紙葉類処理装置に関する。
【背景技術】
【０００２】
従来の紙葉類処理装置は、顧客による操作に基づいて、入金取引、出金取引等の各種取引を行なうものである。ここでは、特許文献１および２に示される装置と同様の構造を有する紙葉類処理装置につき、各部の説明およびその入出金時の動作を図１８〜図２６を参照して説明する。
【０００３】
図１８は、従来の紙葉類処理装置の側面図である。
図１８において、投出部１０１には入金時に紙葉類（以下、“紙幣”と呼ぶこともある）が投入されて、繰り出し部（不図示）により装置内部の搬送路上にその紙幣が下側開口１２１を通して繰り出される。また、投出部１０１には出金時に装置内部の搬送路から繰り出し部により上側開口１２２を通して紙幣が放出される。
【０００４】
鑑別部１０３は、入金時や出金時に紙幣が正常券であるか不明券であるかの鑑別を行なう。
入金時に鑑別部１０３において正常券であると鑑別された紙幣は、顧客による確認指示を待つために、一時保留部（エスクロー）１０４に上側開口１２４を通して一時的に収納される。
【０００５】
入金時に鑑別部１０３において正常券であると鑑別された紙幣は、顧客による確認指示がＯＫとなったときに、一時保留部１０４の下側開口１２３を通して鑑別部１０３まで再度搬送され、鑑別部１０３においてリサイクルに適するかどうかが鑑別される。このとき鑑別部１０３においてリサイクルに不適と鑑別された紙幣、および、出金時に鑑別部１０３で不明券であると鑑別された紙幣は、リジェクト部１０６−１あるいはリジェクト部１０６−２に収納される。
【０００６】
入金時に鑑別部１０３において正常券であると鑑別された紙幣は、顧客による確認指示がＯＫとなったときに、一時保留部１０４の下側開口１２３を通して鑑別部１０３まで再度搬送され、鑑別部１０３においてリサイクルに適するかどうかが鑑別される。このときリサイクルに適すると鑑別された紙幣は、収納庫に収納される。
【０００７】
図１８の紙葉類処理装置は５台の紙葉類収納庫（“カセット”と呼ぶこともある）を有し、前面側（図１８では右側）の３台の紙葉類収納庫１１１−１、１１１−２、１１１−３と、後面側（図１８では左側）の２台の紙葉類収納庫１１２−１、１１２−２とでは、後面側の２台の方が、高さ、奥行き、幅が大きい。そして、後面側の２台の紙葉類収納庫１１２−１、１１２−２は内部にリジェクト部（不図示）を含んでいて、後面に設けられた開閉扉を開けることで、後方に引き出され、装置本体に対し着脱可能である。
【０００８】
収納時に紙葉類収納庫１１１−１、１１１−２、１１１−３内に繰り出された紙幣は、収納庫の上下方向に移動可能なステージ（不図示）上に落下する。このステージは例えば内部に収納している紙幣枚数が少ないときほど、上方の位置に固定される。
【０００９】
また、収納時に紙葉類収納庫１１２−１、１１２−２内に繰り出された紙幣は、収納庫底部に落下する。すなわち、紙葉類収納庫１１２−１、１１２−２では、紙幣が底部から堆積している。
【００１０】
紙葉類収納庫１１１−１、１１１−２、１１１−３には、紙幣を収納する場合と、紙幣を搬送路上に送出する場合で、双方向に紙幣を繰り出すことが可能な繰り出し部（不図示）を有し、それぞれ１つの出入口（上部開口１２５−１、１２５−２、１２５−３）を持つ。  
【００１１】
紙葉類収納庫１１２−１、１１２−２には、紙幣を収納する場合の上部開口１２６−１、１２６−２と、紙幣を搬送路上に送出する場合の下部開口１２８−１、１２８−２を有する。なお、紙葉類収納庫１１２−１、１１２−２の有するもう１つの上部開口１２７−１、１２７−２はそれぞれ内部のリジェクト部に通じている。
【００１２】
続いて、従来の紙葉類処理装置の入金時および出金時の動作につき説明する。
始めに、入金時の動作を説明する。
顧客により行われた入金指示に対応して、シャッタ（不図示）が開き、投出部１０１に対する紙幣挿入待ち状態となる。
【００１３】
顧客が紙幣を投出部１０１に投入すると、紙幣が投入されたことが確認（検出）され、シャッタが閉じる。そして、投入された紙幣を下側開口１２１の近くに設けられた繰り出し部の位置まで押圧部材等（不図示）により移動させ、繰り出し部により装置内部の搬送路上に紙幣が繰り出される。この際、紙幣は、図１９に示すような搬送路１４０を通って、投出部１０１から鑑別部１０３まで搬送される。
【００１４】
鑑別部１０３において、紙幣が正常券であるかどうかが鑑別される。
鑑別部１０３により不明券と鑑別された紙幣は、図２０に示すような搬送路１４１を通って、鑑別部１０３から投出部１０１まで搬送される。そして、上部開口１２２を通して投出部１０１に放出されて、顧客に返却される。
【００１５】
鑑別部１０３により正常券と鑑別された紙幣は、図２１に示すような搬送路１４２を通って、鑑別部１０３から一時保留部（エスクロー）１０４まで搬送される。そして、顧客による確認指示を待つために、一時保留部１０４に一時的に収納される。このとき、顧客に対し入金金額の確認を促す画面（不図示）が表示される。
【００１６】
この状態で、顧客による確認指示がキャンセルとなると、紙幣が一時保留部１０４から投出部１０１まで搬送されて、その投出部１０１を通して顧客に返却される。
一方、この状態で、顧客による確認指示がＯＫとなると、一時保留部１０４の下部開口１２３の位置に入金金額に対応する１枚あるいは複数枚の紙幣が移動され、その下部開口１２３の近くに設けられた繰り出し部（不図示）により、一時保留部１０４から入金金額に対応する紙幣が１枚ずつ搬送路上に繰り出され、図２２に示すような搬送路１４３を通って、一時保留部１０４から再度鑑別部１０３まで搬送される。そして、鑑別部１０３において各紙幣がリサイクルに適するかどうかが鑑別される。
【００１７】
鑑別部１０３による鑑別においてリサイクルに適すると鑑別された紙幣は、図２３に示すような、鑑別部１０３の出口側を出て上行し、Ｕターンして下行し、その後全体として装置前面に向かう搬送路１４４を通って、収納庫１１１−１、１１１−２、１１１−３、１１２−１、１１２−２のうちのいずれかの収納庫に収納される。
【００１８】
一方、鑑別部１０３による鑑別においてリサイクルに不適と鑑別された紙幣は、図２４に示すような搬送路１４５を通って、鑑別部１０３からいずれかのリジェクト部まで搬送され、該当するリジェクト部（リジェクト部１０６−１あるいは１０６−２）に収納される。
【００１９】
続いて、出金時の動作を説明する。
顧客により行われた出金指示に対応して、いずれかの収納庫から紙幣が繰り出され、鑑別部１０３まで搬送される。収納庫１１１−１、１１１−２、１１１−３のいずれかから紙幣が繰り出される場合は、図２５に示すような搬送路１４６−１を通って、各収納庫から鑑別部１０３まで紙幣は搬送される。収納庫１１２−１、１１２−２のいずれかから紙幣が繰り出される場合は、その収納庫１１２−１、１１２−２の下部開口１２８−１、１２８−２から繰り出された紙幣は、図２６に示すような、装置底部において装置前面にまず向かい、その後上行して前方にある収納庫１１１−１等の上側に達してから装置後面に向かう搬送路１４６−２を通って、各収納庫から鑑別部１０３まで搬送される。
【００２０】
鑑別部１０３において、その紙幣が正常券であるかどうかが鑑別される。
鑑別部１０３により不明券と鑑別された紙幣は、図２４に示すような搬送路１４５を通って、鑑別部１０３からいずれかのリジェクト部まで搬送され、該当するリジェクト部（リジェクト部１０６−１あるいは１０６−２）に収納される。
【００２１】
鑑別部１０３により正常券と鑑別された紙幣は、図２０に示すような搬送路１４１を通って、鑑別部１０３から投出部１０１まで搬送され、投出部１０１に放出され、顧客による紙幣抜き取り待ち状態となる。
【００２２】
従来の紙葉類処理装置の動作については以上説明した通りだが、図１８以降の各図から明らかなように、収納庫１１２−１、１１２−２は、上部開口１２６−１、１２６−２から紙幣を収納し、下部開口１２８−１、１２８−２から紙幣を繰り出す構造を有している。そして、このことに起因し、出金時に、下部開口１２８−１、１２８−２から鑑別部１０３に向かう搬送路１４６−２は、図２６に示したように、装置底部において装置前面にまず向かい、その後上行して前方にある収納庫１１１−１等の上側に達してから装置後面に向かって鑑別部１０３に達する。
【００２３】
このため、装置内部の搬送路の全長が長くなり、そのことに伴い、ジャムなどの障害の発生率の増加、搬送機構を構成する部品点数の増大に伴うコストアップ、収納庫に割り当てることができるスペースの減少などの問題が発生している。
【００２４】
一方、従来の各紙葉類処理装置は上位装置に通信回線で接続されている。この上位装置のメモリには、個々の紙葉類処理装置の各位置に装着された収納庫内の紙幣枚数の出入り情報が各紙葉類処理装置との間の通信により定期的に通知されている。ある紙葉類処理装置のある位置に装着された収納庫の残り枚数が少なくなり０（ゼロ）に近づくと、“終わりに近い（Ｎｅａｒ Ｅｎｄ、ＮＥ）”という情報が上位装置からセンター等に通知され、保守員が該当する紙葉類処理装置の収納庫の交換（補充）に向かうことになる。
【００２５】
紙葉類処理装置は様々な場所に設置されている。例えば、銀行に設置された紙葉類処理装置は図１８に示した装置のように、後面側に開閉扉（図１８等では不図示）が設けられていて、後面側の２台の収納庫１１２−１、１１２−２を着脱可能な構造としている（以下、このような紙葉類処理装置のことを“後面機”と呼ぶ）。そして、その後面側の２台の収納庫１１２−１、１１２−２内にそれぞれリジェクト部が設けられるとともに、その後面側の収納庫外部にもリジェクト部１０６−１、１０６−２が設けられている。
【００２６】
また、例えば、ショッピングモールや駅に設置された紙葉類処理装置では、設置スペースが狭い関係から装置後面が壁と接することになるので、図１８に示した装置のように、後面側に開閉扉を設ける代わりに、前面側に開閉扉を設けることになる（以下、このような紙葉類処理装置のことを“前面機”と呼ぶ）。当然のこととして、紙葉類処理装置（前面機）の内部構造は前面側の複数台の収納庫を着脱可能とするものでなければならず、図１８に示した装置のような内部構造は採用できない。
【００２７】
なお、この他に関連技術として、特許文献３では、支払い取引時に、紙幣収納庫内の紙幣の残量が少なくなると、その旨を外部に通知するとともに、同一金種での他の紙幣収納庫での紙幣繰り出しに切り替える制御を行なう紙幣自動支払装置が示されている。
【先行技術文献】
【特許文献】
【００２８】
【特許文献１】特許第３２６０１４１号公報
【特許文献２】特許第３７５４６２０号公報
【特許文献３】特開平５−１４３８２２号公報
【発明の概要】
【発明が解決しようとする課題】
【００２９】
本発明は、以上の問題点を考慮してなされたものであり、収納庫のスペースを広く確保でき、カセット回収時の利便性を保ちつつ場所を選ばずに設置可能な紙葉類処理装置を提供することを目的とする。
【課題を解決するための手段】
【００３０】
提案する紙葉類処理装置は、紙葉類の真贋を鑑別する鑑別部と、紙葉類が１つの開口部を通して収納または繰り出され、上面に前記１つの開口部がそれぞれ設けられ、着脱自在であり、同じあるいは略同じ高さ、幅、奥行きで奥行き方向に配列された複数の収納庫と、前記複数の収納庫を装置前面または後面方向に一体として引き出すべく、該複数の収納庫が載置された案内レールと、装置前面または後面のいずれか一方に開閉扉が設けられた装置を覆う筺体と、前記複数の収納庫のうちの前記開閉扉側の収納庫を補充／回収用の収納庫として機能させる制御を行なう制御部と、を有する。
【発明の効果】
【００３１】
提案する紙葉類処理装置では、複数の収納庫を同じあるいは略同じ高さ、幅、奥行きで奥行き方向に配列し、それぞれの上面に１つの開口を設けたので、従来の紙葉類処理装置と比較して、各収納庫の底部を装置前面に向かい、その後上行する搬送路が必要なくなった。よって、収納庫のスペースを広く確保することができ、収納庫に冗長性を持たせることが可能となるとともに、案内レールにより、複数の収納庫を装置前面または後面方向に一体として引き出すことが可能となった。よって、筺体を除いて内部構成が同一な紙葉類処理装置を、場所を選ばずに設置することが可能となった。
【００３２】
また、設置場所により開閉扉が前面と後面のいずれに設けられるかに応じて、収納庫（カセット）回収時に装置前後方向の奥側のカセットを回収するというカセット回収時の利便性低下のリスクについては、制御部により複数の収納庫のうちの開閉扉側の収納庫を補充／回収用の収納庫として機能させるように制御（運用）を行っているので、カセット回収時の利便性を保つことができる。
【図面の簡単な説明】
【００３３】
【図１】本発明の一実施形態に係る紙葉類処理装置の側面図である。
【図２】入金一次動作のフローチャートである。
【図３】入金二次動作のフローチャートである。
【図４】出金動作のフローチャートである。
【図５】本実施形態の紙葉類処理装置における投出部から鑑別部までの紙幣の搬送路を示した図である。
【図６】本実施形態の紙葉類処理装置における鑑別部から不明券保留部までの紙幣の搬送路を示した図である。
【図７】本実施形態の紙葉類処理装置における鑑別部から一時保留部までの紙幣の搬送路を示した図である。
【図８】本実施形態の紙葉類処理装置における一時保留部から鑑別部までの紙幣の搬送路を示した図である。
【図９】本実施形態の紙葉類処理装置における鑑別部から収納庫までの紙幣の搬送路（その１）を示した図である。
【図１０】本実施形態の紙葉類処理装置における鑑別部から収納庫までの紙幣の搬送路（その２）を示した図である。
【図１１】本実施形態の紙葉類処理装置における鑑別部からリジェクト部までの紙幣の搬送路を示した図である。
【図１２】本実施形態の紙葉類処理装置における収納庫から鑑別部までの紙幣の搬送路（その１）を示した図である。
【図１３】本実施形態の紙葉類処理装置における収納庫から鑑別部までの紙幣の搬送路（その２）を示した図である。
【図１４】本実施形態の紙葉類処理装置における鑑別部から投出部までの紙幣の搬送路を示した図である。
【図１５】本実施形態の入出金時の収納先あるいは繰り出し先の収納庫の決定処理のフローチャートである。
【図１６】本実施形態の紙葉類処理装置における鑑別部から収納庫内リジェクト部までの紙幣の搬送路を示した図である。
【図１７】カセット回収時のシステムフローである。
【図１８】従来の紙葉類処理装置の側面図である。
【図１９】従来の紙葉類処理装置における投出部から鑑別部までの紙幣の搬送路を示した図である。
【図２０】従来の紙葉類処理装置における鑑別部から投出部までの紙幣の搬送路を示した図である。
【図２１】従来の紙葉類処理装置における鑑別部から一時保留部までの紙幣の搬送路を示した図である。
【図２２】従来の紙葉類処理装置における一時保留部から鑑別部までの紙幣の搬送路を示した図である。
【図２３】従来の紙葉類処理装置における鑑別部から収納庫までの紙幣の搬送路を示した図である。
【図２４】従来の紙葉類処理装置における鑑別部からリジェクト部までの紙幣の搬送路を示した図である。
【図２５】従来の紙葉類処理装置における収納庫から鑑別部までの紙幣の搬送路（その１）を示した図である。
【図２６】従来の紙葉類処理装置における収納庫から鑑別部までの紙幣の搬送路（その２）を示した図である。
【発明を実施するための形態】
【００３４】
以下図面に基づいて、本発明の実施形態について詳細を説明する。
図１は、本発明の一実施形態に係る紙葉類処理装置の側面図である。
図１において、投出部１には入金時に紙幣が投入されて、繰り出し部２により装置内部の搬送路上にその紙幣が繰り出される。また、投出部１には出金時に装置内部の搬送路から繰り出し部２により紙幣が繰り出される。すなわち、投出部１は装置内部との間に１つの出入口しか持たず、繰り出し部２は紙幣を双方向に繰り出すことが可能な機構である。
【００３５】
鑑別部３において、入金時や出金時に紙幣が正常券であるか不明券であるかが鑑別される。
入金時に鑑別部３において正常券であると鑑別された紙幣は、顧客による確認指示を待つために、一時保留部（エスクロー）４に一時的に収納される。一時保留部４にも紙幣を双方向に繰り出すことが可能な繰り出し部５が設けられている。
【００３６】
入金時に鑑別部３において正常券であると鑑別された紙幣は、顧客による確認指示がＯＫとなったときに、再度鑑別部３に搬送され、鑑別部３においてリサイクルに適するかどうかが鑑別される。この鑑別部３での鑑別においてリサイクルに不適と鑑別された紙幣、および、出金時に鑑別部３で不明券であると鑑別された紙幣は、リジェクト部６−１あるいは６−２に収納される。リジェクト部６−１、６−２は、紙幣の繰り込み機構７−１、７−２をそれぞれ有する。
【００３７】
また、この鑑別部３での鑑別においてリサイクルに適すると鑑別された紙幣は、いずれかの収納庫に収納される。
入金時に鑑別部３において不明券であると鑑別された紙幣は、不明券保留部８に収納されて、その不明券保留部８を経由して投出部１に返却される。
【００３８】
図１の紙葉類処理装置は６台の紙葉類収納庫（“カセット”と呼ぶこともある）を有し、前面側の４台の紙葉類収納庫１１−１、１１−２、１１−３、１１−４と、後面側の２台の紙葉類収納庫１２−１、１２−２とは、高さ、奥行き、幅が同じあるいは略同じであり、６台すべてが、内部にリジェクト部を有している。
【００３９】
すなわち、収納庫１１−１、１１−２、１１−３、１１−４が内部にリジェクト部１５−１、１５−２、１５−３、１５−４を有し、収納庫１２−１、１２−２が内部にリジェクト部１６−１、１６−２を有する。
【００４０】
なお、６台の紙葉類収納庫は不図示の案内レール上に載置されており、後面または前面のいずれか一方に設けられた開閉扉を開けることで、後方または前方に一体となって引き出される。この６台の紙葉類収納庫はいずれも装置本体に対し着脱可能である。すなわち、例えばその引き出された状態で、装置の幅方向の手前に引くことで、収納庫を装置本体から抜き取ることができる。また、例えばその引き出された状態で、装置の幅方向の奥方向に押し込むことで、収納庫を装置本体に装着することができる。
【００４１】
なお、このように、複数の収納庫を同じあるいは略同じ高さ、幅、奥行きで奥行き方向に配列し、それぞれの上面に１つの開口を設けたので、従来の紙葉類処理装置と比較して、各収納庫の底部を装置前面に向かい、その後上行する搬送路が必要なくなった。よって、収納庫のスペースを広く確保することができ、収納庫に冗長性を持たせることが可能となるとともに、案内レールにより、複数の収納庫を装置前面または後面方向に一体として引き出すことが可能となった。
【００４２】
よって、筺体の開閉扉を設ける位置を筺体前面とするか筺体後面とするかに応じて、内部構成が同一な紙葉類処理装置を前面機とすることも後面機とすることも可能となり、内部構成が同一な紙葉類処理装置を、場所を選ばずに設置することが可能となった。
【００４３】
また、図１の紙葉類収納庫１１−１には、紙幣を収納する場合と、紙幣を搬送路上に送出する場合とで、双方向に紙幣を繰り出すことが可能な繰り出し部１３−１を有する。紙葉類収納庫１１−１内部に設けられたリジェクト部１５−１は、紙葉類収納庫１１−１から繰り出された紙幣のうちで、重送したりやぶれたり、また鑑別部３においてリサイクルに適さないと鑑別された紙幣を収納する。
【００４４】
紙葉類収納庫１１−２には、紙幣を収納する場合、紙幣を搬送路上に送出する場合とで、双方向に紙幣を繰り出すことが可能な繰り出し部１３−２を有する。紙葉類収納庫１１−２内部に設けられたリジェクト部１５−２は、紙葉類収納庫１１−２から繰り出された紙幣のうちで、重送したりやぶれたり、また鑑別部３においてリサイクルに適さないと鑑別された紙幣を収納する。
【００４５】
紙葉類収納庫１１−３には、紙幣を収納する場合、紙幣を搬送路上に送出する場合とで、双方向に紙幣を繰り出すことが可能な繰り出し部１３−３を有する。紙葉類収納庫１１−３内部に設けられたリジェクト部１５−３は、紙葉類収納庫１１−３から繰り出された紙幣のうちで、重送したりやぶれたり、また鑑別部３においてリサイクルに適さないと鑑別された紙幣を収納する。
【００４６】
紙葉類収納庫１１−４には、紙幣を収納する場合、紙幣を搬送路上に送出する場合とで、双方向に紙幣を繰り出すことが可能な繰り出し部１３−４を有する。紙葉類収納庫１１−４内部に設けられたリジェクト部１５−４は、紙葉類収納庫１１−４から繰り出された紙幣のうちで、重送したりやぶれたり、また鑑別部３においてリサイクルに適さないと鑑別された紙幣を収納する。
【００４７】
紙葉類収納庫１２−１には、紙幣を収納する場合、紙幣を搬送路上に送出する場合とで、双方向に紙幣を繰り出すことが可能な繰り出し部１４−１を有する。紙葉類収納庫１２−１内部に設けられたリジェクト部１６−１は、紙葉類収納庫１２−１から繰り出された紙幣のうちで、重送したりやぶれたり、また鑑別部３においてリサイクルに適さないと鑑別された紙幣を収納する。
【００４８】
紙葉類収納庫１２−２には、紙幣を収納する場合、紙幣を搬送路上に送出する場合とで、双方向に紙幣を繰り出すことが可能な繰り出し部１４−２を有する。紙葉類収納庫１２−２内部に設けられたリジェクト部１６−２は、紙葉類収納庫１２−２から繰り出された紙幣のうちで、重送したりやぶれたり、また鑑別部３においてリサイクルに適さないと鑑別された紙幣を収納する。
【００４９】
収納時に紙葉類収納庫１１−１〜１１−４，１２−１〜１２−２内に繰り出された紙幣は、それぞれの収納庫の上下方向に移動可能なステージ１７−１〜１７−４，１８−１〜１８−２上に落下する。このステージは例えば内部に収納している紙幣枚数が少ないときほど、上方の位置に固定される。
【００５０】
紙幣を搬送路上の決められた方向に導くためのガイドについては、すべて説明することを避けて主要なものを説明する。
ガイド３３は、投出部１側からの紙幣を鑑別部３に導くか、あるいは、リジェクト部６−１、６−２、収納庫１２−１、１２−２に導くかをカイド３３の中心部にある軸を中心に回転させ、位置を変えることにより決定する。
【００５１】
ガイド３２は、投出部１側や一時保留部４側（図１の下方向）から搬送された紙幣を鑑別部３側にスルーさせるように導くか、あるいは、収納庫側からの紙幣を投出部１に導くかをガイド３２の中心部にある軸を中心に回転させ、位置を変えることにより決定する。
【００５２】
ガイド３１は、鑑別部３の出口側からの紙幣を不明券保留部８に導くか、あるいは、搬送路上を収納庫の方に向かうべくスルーさせるかをガイド３１の中心部にある軸を中心に回転させ、位置を変えることにより決定する。
【００５３】
ガイド２８は、鑑別部３の出口側からの紙幣を一時保留部４側に導くか、あるいは、搬送路上を収納庫の方に向かうべくスルーさせるかをガイド２８の中心部にある軸を中心に回転させ、位置を変えることにより決定する。
【００５４】
ガイド２６は、ガイド２８によって一時保留部４側に導かれた紙幣を、一時保留部４に導くか、あるいは、一時保留部４をスルーさせるかをガイド２６の中心部にある軸を中心に回転させ、位置を変えることにより決定する。
【００５５】
また、この紙葉類処理装置は上位装置に通信回線で接続されている。個々の紙葉類処理装置の各位置に装着された収納庫内の紙幣枚数の出入り情報が上位装置（不図示）とこの紙葉類処理装置との間の通信により定期的に上位装置に送信され、上位装置側で、各収納庫の装着時に通知された紙幣枚数に対する出入り情報による加減を行い、各収納庫の紙幣枚数を更新し、更新結果の紙幣枚数を上位装置のメモリ（装置記憶部９）に記憶している。
【００５６】
続いて、図２、図３、図４を参照して入金動作および出金動作について説明する。
図２〜図４に示すフローチャートは、基本的に後面機、前面機の双方に共通なものである。ただし、図３のステップＳ２４、図４のステップＳ３２に示されるように、リジェクト紙幣が収納庫外部の装置後面上部に位置するリジェクト部に収納されるのは、後面機の場合である。前面機におけるリジェクト紙幣の扱いについては後述する。
【００５７】
図２は、入金一次動作のフローチャートである。
図２のステップＳ１で、顧客により行われた入金指示に対応して、シャッタ（不図示）が開き、投出部１に対する紙幣挿入待ち状態となる。
【００５８】
顧客が紙幣を投出部１に投入すると、続く、ステップＳ２で、紙幣が投入されたことが確認（検出）され、シャッタが閉じる。そして、投入された紙幣の長さが正常かどうかが判定される。
【００５９】
ステップＳ２で紙幣の長さが異常であると判定された場合、ステップＳ３で、その長さが異常と判定された紙幣が顧客に投出部１を通して返却され、一連の動作が終了する。
ステップＳ２で紙幣の長さが正常であると判定された場合、ステップＳ５で、その紙幣を繰り出し部２の位置まで取り込み、ステップＳ６で、繰り出し部２により装置内部の搬送路上にその紙幣が繰り出される。この際、その紙幣は、図５に示すような搬送路４０を通って、投出部１から鑑別部３まで搬送される。
【００６０】
続くステップＳ７で、鑑別部３において、その紙幣が正常券であるかどうかが鑑別される。
ステップＳ７で鑑別部３により不明券と鑑別された紙幣は、図６に示すような搬送路４１を通って、鑑別部３から不明券保留部８まで搬送される。そして、不明券保留部８に収納されて、ステップＳ８でその不明券保留部８を経由して投出部１にその紙幣が繰り出され、顧客に返却される。
【００６１】
続く、ステップＳ９では、装置は再度紙幣の挿入待ち状態となる。すなわち、フロー上ステップＳ２に戻ることになる。なお、ステップＳ９の挿入待ち状態から顧客がキャンセル指示を行った場合は、一連の動作が終了する。
【００６２】
ステップＳ７で鑑別部３により正常券と鑑別された紙幣は、図７に示すような搬送路４２を通って、鑑別部３から一時保留部（エスクロー）４まで搬送される。そして、顧客による確認指示を待つために、一時保留部４に一時的に収納される。このとき、ステップＳ１１で、顧客に対し入金金額の確認を促す画面（不図示）が表示される。
【００６３】
この状態で、ステップＳ１２で顧客による確認指示がＯＫとなると、図３に示す入金二次動作に制御が移ることになる。
一方、この状態で、ステップＳ１３で顧客による確認指示がキャンセルとなると、紙幣が一時保留部４から投出部１まで搬送されて、その投出部１を通して顧客に返却される。そして、一連の動作が終了する。
【００６４】
図３は、入金二次動作のフローチャートである。このフローチャートの動作は、入金時に鑑別部３において正常券であると鑑別された紙幣であり、一時保留部４において顧客による確認指示がＯＫとなった入金金額に対応する１枚あるいは複数枚の紙幣に対して行われる。
【００６５】
一時保留部４において顧客による確認指示がＯＫとなったときに、図３のステップＳ２１で、一時保留部４の繰り出し部５の位置に入金金額に対応する１枚あるいは複数枚の紙幣が移動され、ステップＳ２２で、繰り出し部５により、一時保留部４から入金金額に対応する紙幣が１枚ずつ搬送路上に繰り出され、図８に示すような搬送路４３を通って、一時保留部４から再度鑑別部３まで搬送される。そして、鑑別部３において各紙幣がリサイクルに適するかどうかが鑑別される。
【００６６】
鑑別部３による鑑別においてステップＳ２３でリサイクルに適すると鑑別された紙幣は、いずれかの収納庫に収納される。収納庫１１−１、１１−２、１１−３、１１−４のいずれかが収納先である場合は、図９に示すような搬送路４４−１を通って、鑑別部３から各収納庫まで搬送され収納される。収納庫１２−１、１２−２のいずれかが収納先である場合は、図１０に示すような搬送路４４−２を通って、鑑別部３から各収納庫まで搬送され収納される。
【００６７】
一方、鑑別部３による鑑別においてステップＳ２４でリサイクルに不適と鑑別された紙幣は、図１１に示すような搬送路４５を通って、鑑別部３からいずれかのリジェクト部まで搬送され、該当するリジェクト部（リジェクト部６−１あるいは６−２）に収納される。そして、一連の動作を終了する。
【００６８】
図４は、出金動作のフローチャートである。
図４のステップＳ３１で、顧客により行われた出金指示に対応して、いずれかの収納庫から紙幣が繰り出され、鑑別部３まで搬送される。収納庫１１−１、１１−２、１１−３、１１−４のいずれかから紙幣が繰り出される場合は、図１２に示すような搬送路４６−１を通って、各収納庫から鑑別部３まで紙幣は搬送される。収納庫１２−１、１２−２のいずれかから紙幣が繰り出される場合は、図１３に示すような搬送路４６−２を通って、各収納庫から鑑別部３まで紙幣は搬送される。
【００６９】
続く、ステップＳ３２において、鑑別部３において、その紙幣が正常券であるかどうかが鑑別される。
ステップＳ３２で鑑別部３により不明券と鑑別された紙幣は、図１１に示すような搬送路４５を通って、鑑別部３からいずれかのリジェクト部まで搬送され、該当するリジェクト部（リジェクト部６−１あるいは６−２）に収納される。
【００７０】
ステップＳ３２で鑑別部３により正常券と鑑別された紙幣は、図１４に示すような搬送路４７を通って、鑑別部３から投出部１まで搬送され、ステップＳ３３で投出部１に収納される。
【００７１】
そして、続く、ステップＳ３４で、シャッタ（不図示）がオープンし、投出部１に対する紙幣抜き取り待ち状態となる。
この状態で一定時間内に紙幣が抜き取られた場合は直ちに一連の動作を終了する。
【００７２】
この状態で一定時間経過後も紙幣が抜き取られなかった場合はステップＳ３５で媒体（ここでは紙幣）の取り忘れ取り込みが行なわれ、一連の動作を終了する。
なお、以上の説明では、入金時にどの収納庫に紙幣を収納し、出金時にどの収納庫から紙幣を繰り出すかという点については具体的に触れてはいなかった。本実施形態では、ファームウェアにより複数の収納庫のうちの開閉扉側の収納庫を補充／回収用の収納庫として機能させるように制御（運用）を行っているので、収納庫（カセット）回収時に装置前後方向の奥側のカセットを回収するというカセット回収時の利便性低下のリスクを回避でき、カセット回収時の利便性を従来の後面機同様に保つことができる。つまり、開閉扉側の収納庫（カセット）を優先的に使用して運用しているため、カセットを引出した際、手前側のカセットを交換（回収）する事となる。
【００７３】
図１５は、本実施形態の入出金時の収納先あるいは繰り出し先の収納庫の決定処理のフローチャートである。
なお、図１等に示される紙葉類処理装置では収納庫１１−１と１２−１が千券用に、また、収納庫１１−２と１２−２が万券用に割り当てられているものとする。当然、他の割り当てパターンを採用することも可能である。
【００７４】
図１５のステップＳ４１で、ファームウェアにより、紙葉類処理装置内部のメモリ（不図示）に記憶された、開閉扉が装置を覆う筺体の前面と後面のいずれに設けられているかを示す情報が参照され、その装置が前面機であるか後面機であるかが決定され、前面機運用を行なうか後面機運用を行なうかが決定される。
【００７５】
ステップＳ４１で後面機運用を行なうものと決定された場合、続くステップＳ４２で、運用時に、収納庫１２−２側（後面側）にある収納庫に補充／回収機能を持たせるようにする。この結果、入金時に紙幣が投入される場合、その紙幣は、ステップＳ４３において、収納庫１１−１側（前面側）にある収納庫（収納庫１１−１と１１−２）に収納されることになる。一方、図には示されていないが、出金時に紙幣が繰り出される場合、その紙幣は、収納庫１２−２側（後面側）にある収納庫（収納庫１２−１と１２−２）から繰り出されることになる。
【００７６】
一方、ステップＳ４１で前面機運用を行なうものと決定された場合、続くステップＳ４４で、運用時に、収納庫１１−１側（前面側）にある収納庫に補充／回収機能を持たせるようにする。この結果、入金時に紙幣が投入される場合、その紙幣は、ステップＳ４５において、収納庫１２−２側（後面側）にある収納庫（収納庫１２−１と１２−２）に収納されることになる。一方、図には示されていないが、出金時に紙幣が繰り出される場合、その紙幣は、収納庫１１−１側（前面側）にある収納庫（収納庫１１−１と１１−２）から繰り出されることになる。
【００７７】
なお、前面機運用を行なう場合で、入金時に、鑑別部３により正常券でリサイクルに不適と鑑別された紙幣、あるいは、出金時に、鑑別部３により不明券と鑑別された紙幣は、ファームウェアにより、図１６に示すような搬送路４８を通って、補充／回収用の収納庫として機能させた収納庫（収納庫１１−１あるいは１１−２）内のリジェクト部１５−１あるいは１５−２に収納される。前面機運用を行なう場合、装置後面上部のリジェクト部６−１および６−２が使用できなくなるため、このような制御を行なう。
【００７８】
上述したように、紙葉類処理装置は上位装置に通信回線で接続されている。この上位装置のメモリには、個々の紙葉類処理装置の各位置に装着された収納庫内の紙幣枚数の出入り情報が各紙葉類処理装置との間の通信により定期的に通知されている。ある紙葉類処理装置のある位置に装着された収納庫の残り枚数が少なくなり０（ゼロ）に近づくと、“終わりに近い（Ｎｅａｒ Ｅｎｄ、ＮＥ）”という情報が上位装置からセンター等に通知され、保守員が該当する紙葉類処理装置の収納庫の交換に向かうことになる。
【００７９】
図１７は、カセット回収時のシステムフローである。
上位装置が図１の紙葉類処理装置内のある収納庫に対し、上記ＮＥを検出すると、上位装置からその紙葉類処理装置に対し、該当する収納庫が収納している紙幣枚数情報を通知するように指示が出される。この指示を受けて、その紙葉類処理装置から該当する収納庫の紙幣枚数情報が上位装置に通知される。上位装置は図１７のステップＳ５１で、通知された該当する収納庫の紙幣枚数情報を装置記憶部９に記憶している該当する収納庫の紙幣枚数情報と比較する。
【００８０】
通知された紙幣枚数情報と記憶している紙幣枚数情報とが一致した場合、ステップＳ５２で、収納庫を抜き取りできないようにロックする収納庫ロック部（図１では不図示）によるロックが解除され、その収納庫は抜き取ることができる状態になる。
【００８１】
一方、通知された紙幣枚数情報と記憶している紙幣枚数情報とが一致しない場合、ステップＳ５３で、収納庫ロック部によりその収納庫がロックされ、その収納庫は抜き取ることができない状態になる。
【００８２】
なお、収納庫がロックされた場合は、人手やファームウェアにより枚数の補正をかけることになる。
【符号の説明】
【００８３】
１、１０１  投出部
２、５、１３−１、１３−２、１３−３、１３−４、１４−１、１４−２  （双方向の）繰り出し部
３、１０３  鑑別部
４、１０４  一時保留部
６−１、６−２、１０６−１、１０６−２  リジェクト部
７−１、７−２  繰り出し部
８  不明券保留部
１１−１、１１−２、１１−３、１１−４、１２−１、１２−２、１１１−１、１１１−２、１１１−３、１１２−１、１１２−２  紙葉類収納庫
１５−１、１５−２、１５−３、１５−４、１６−１、１６−２  収納庫内リジェクト部
１７−１、１７−２、１７−３、１７−４、１８−１、１８−２  ステージ
２６、２８、３１、３２、３３  ガイド
１２１、１２３、１２８−１、１２８−２  下部開口
１２２、１２４、１２５−１、１２５−２、１２５−３、１２７−１、１２７−２  上部開口
４０、４１、４２、４３、４４−１、４４−２、４５、４６−１、４６−２、４７、４８、１４０、１４１、１４２、１４３、１４４、１４５、１４６−１、１４６−２  搬送路
【図２】
2010231484.tif 000003
【図３】
2010231484.tif 000004
【図４】
2010231484.tif 000005
【図１５】
2010231484.tif 000006
【図１７】
2010231484.tif 000007
【図１】
2010231484.tif 000008
【図５】
2010231484.tif 000009
【図６】
2010231484.tif 000010
【図７】
2010231484.tif 000011
【図８】
2010231484.tif 000012
【図９】
2010231484.tif 000013
【図１０】
2010231484.tif 000014
【図１１】
2010231484.tif 000015
【図１２】
2010231484.tif 000016
【図１３】
2010231484.tif 000017
【図１４】
2010231484.tif 000018
【図１６】
2010231484.tif 000019
【図１８】
2010231484.tif 000020
【図１９】
2010231484.tif 000021
【図２０】
2010231484.tif 000022
【図２１】
2010231484.tif 000023
【図２２】
2010231484.tif 000024
【図２３】
2010231484.tif 000025
【図２４】
2010231484.tif 000026
【図２５】
2010231484.tif 000027
【図２６】
2010231484.tif 000028